(57)【要約】  可視エリアを有するエッジライト型ＬＣＤバックライトユニットが、（ａ）ダウンコンバージョンフィルム要素と、（ｂ）抽出要素を含む導光体と、（ｃ）反射体と、（ｄ）青色ＬＥＤとを備える。抽出要素は可視エリアを越えて延びる。
2016536637.tif 000002
【特許請求の範囲】
【請求項１】
可視エリアを有するエッジライト型ＬＣＤバックライトユニットであって、
（ａ）ダウンコンバージョンフィルム要素と、
（ｂ）抽出要素を含む導光体と、
（ｃ）反射体と、
（ｄ）青色ＬＥＤと、を備え、
前記抽出要素は前記可視エリアを越えて延びる、エッジライト型ＬＣＤバックライトユニット。
【請求項２】
（ａ）支持構造体と、
（ｂ）ダウンコンバージョンフィルム要素と、
（ｃ）反射体と、
（ｄ）青色ＬＥＤと、
（ｅ）高反射性材料及びダウンコンバート材料の少なくとも一方と、を備え、
前記高反射性材料又は前記ダウンコンバート材料は、前記ダウンコンバージョンフィルム要素の縁部と重なり合うか、又は前記支持構造体に適用される、ＬＣＤバックライトユニット。
【請求項３】
可視エリアを有するエッジライト型ＬＣＤバックライトユニットであって、
（ａ）支持構造体と、
（ｂ）ダウンコンバージョンフィルム要素と、
（ｂ）抽出要素を含む導光体と、
（ｄ）反射体と、
（ｅ）青色ＬＥＤと、
（ｆ）高反射性材料及びダウンコンバート材料の少なくとも一方と、を備え、
前記高反射性材料又は前記ダウンコンバート材料は、前記ダウンコンバージョンフィルム要素の縁部と重なり合うか、又は前記支持構造体に適用され、
前記抽出要素は前記可視エリアを越えて延びる、エッジライト型ＬＣＤバックライトユニット。
【請求項４】
前記ダウンコンバージョンフィルム要素は量子ドットフィルムである、請求項１〜３のいずれか一項に記載のＬＣＤバックライト。
【請求項５】
可視エリアを有するＬＣＤバックライトユニットの全体にわたって色の均一性を改善する方法であって、前記可視エリアの少なくとも１つの縁部において赤色及び緑色光を増加させることを含み、
前記ＬＣＤバックライトユニットは、ダウンコンバージョンフィルム要素と、反射体と、青色ＬＥＤと、を備える、方法。
【請求項６】
前記ＬＣＤバックライトはエッジライト型であり、前記可視エリアの少なくとも１つの縁部において赤色及び緑色光を増加させることは、前記可視エリアの少なくとも１つの縁部を越えて青色光の抽出を増加させることを含む、請求項５に記載の方法。
【請求項７】
前記ＬＣＤバックライトは導光体を更に備え、前記可視エリアの少なくとも１つの縁部を越えて青色光の抽出を増加させることは、前記可視エリアの少なくとも１つの縁部を越えて前記導光体上に抽出機構を加えることを含む、請求項６に記載の方法。
【請求項８】
前記可視エリアの少なくとも１つの縁部において赤色及び緑色光を増加させることは、赤色及び緑色光を戻して前記可視エリアの中へと反射させることを含む、請求項５に記載の方法。
【請求項９】
赤色及び緑色光を戻して前記可視エリアに増加させることは、高反射性材料又はダウンコンバート材料を前記ダウンコンバージョンフィルム要素の少なくとも１つの縁部又は前記支持構造体に加えることを含む、請求項８に記載の方法。
【請求項１０】
前記ＬＣＤバックライトユニットは支持構造体を更に備え、赤色及び緑色光を戻して前記可視エリアの中に増加させることは、高反射性材料又はダウンコンバート材料を前記ダウンコンバージョンフィルム要素の少なくとも１つの縁部に適用することを含む、請求項８に記載の方法。
【請求項１１】
前記ダウンコンバージョンフィルム要素は量子ドットフィルムである、請求項５〜１０のいずれか一項に記載の方法。
【発明の詳細な説明】
【技術分野】
【０００１】
本発明は、ダウンコンバージョンフィルム要素を収容したバックライトシステムにおいて色の均一性を改善する方法、及び改善されたバックライトシステムに関する。
【背景技術】
【０００２】
液晶ディスプレイ（ＬＣＤ）は、ピクセルがカラー画像を画面に表示するために、別個のバックライトユニットと、赤色、緑色及び青色のカラーフィルタを利用する非放射性ディスプレイである。赤色、緑色及び青色のカラーフィルタは、バックライトユニットから放出された白色光をそれぞれ、赤色光、緑色光、及び青色光へと分離する。ＬＣＤデバイスによって表示され得る色の範囲は、色域と呼ばれる。
【０００３】
ＬＣＤバックライトシステムは通常、反射板若しくはフィルム、抽出機構を有する導光体（例えば導光板若しくは導光フィルム）、拡散シート、光方向変換フィルム（例えば、プリズムフィルム、レンチキュラーフィルム及び／若しくは他の輝度向上フィルム）、並びに／又は反射偏光子を含んでいる。従来、ＬＣＤは、黄色のＹＡＧ蛍光体と組み合わされた青色ＬＥＤダイからなる白色発光ダイオード（ＬＥＤ）を利用してきた。モバイル／ハンドヘルドデバイスは通常、エッジライト型であり、表示エリア全体に光を均一に分布させるために導光体を収容している。「白い」光は次いで、拡散シートを使用して導光体の外へと拡散される。しかしながら、最近では、色域を改善させたＬＣＤが開発されている。これらのＬＣＤにおいて、白色ＬＥＤは青色ＬＥＤに置き換えられ、拡散シートは、色を能動的に変換するダウンコンバージョンフィルム要素に置き換えられている。ダウンコンバージョンシートは、例えば、赤色及び緑色の量子ドット、蛍光体、蛍光染料などを含み得る。典型的なＬＣＤバックライトにおける底部の拡散シートを量子ドットフィルム要素で単純に置き換えることにより、達成される色域は劇的に（例えば５０％）向上され得る。
【発明の概要】
【発明が解決しようとする課題】
【０００４】
量子ドットフィルム要素又は他のダウンコンバージョンフィルム要素を収容したバックライトシステムに伴う１つの問題は、バックライトの境界付近における（つまり、ディスプレイの可視エリアの縁部における）色の不均一性である。通常、この不均一性は、ディスプレイの可視エリアの縁部において青い輝きとして現れる。この輝きは一般には、バックライトシステムの縁部から外に青色光が漏れる結果と考えられている。
【課題を解決するための手段】
【０００５】
上記を鑑みて、本発明者らは、ダウンコンバージョンフィルム要素を収容したバックライトシステムにおける改善された色の均一性が必要とされていることを認識している。
【０００６】
驚くべきことに、本発明者らが発見したところでは、ダウンコンバージョンフィルム要素を収容したディスプレイの可視エリアの縁部における色の不均一性は、これまで考えられていたように、青色光の漏れだけに起因するものではない。むしろ、本発明者らが発見したところでは、この色の不均一性は主として、青色光に対して赤色及び緑色光の角度分布に差があることが原因で、ディスプレイの縁部において赤色及び緑色光が不十分であることによって生じている。
【０００７】
簡潔に言えば、一態様において、本発明は、可視エリアを有するエッジライト型ＬＣＤバックライトユニットであって、（ａ）ダウンコンバージョンフィルム要素と、（ｂ）抽出要素を含む導光体と、（ｃ）反射体と、（ｄ）青色ＬＥＤとを備え、抽出要素が可視エリアを越えて延びる、エッジライト型ＬＣＤバックライトユニットを提供する。
【０００８】
別の態様において、本発明は、（ａ）支持構造体と、（ｂ）ダウンコンバージョンフィルム要素と、（ｃ）反射体と、（ｄ）青色ＬＥＤと、（ｅ）高反射性材料及びダウンコンバート材料の少なくとも一方とを備え、高反射性材料又はダウンコンバート材料は、ダウンコンバージョンフィルム要素の縁部と重なり合うか、又は支持構造体に適用されるＬＣＤバックライトユニットを提供する。
【０００９】
更に別の態様において、本発明は、可視エリアを有するエッジライト型ＬＣＤバックライトユニットであって、（ａ）支持構造体と、（ｂ）ダウンコンバージョンフィルム要素と、（ｃ）抽出要素を含む導光体と、（ｄ）反射体と、（ｅ）青色ＬＥＤと、（ｆ）高反射性材料及びダウンコンバート材料の少なくとも一方とを備え、高反射性材料又はダウンコンバート材料は、ダウンコンバージョンフィルム要素の縁部と重なり合うか、又は支持構造体に適用され、抽出要素は可視エリアを越えて延びる、エッジライト型ＬＣＤバックライトユニットを提供する。
【００１０】
更に別の態様において、本発明は、可視エリアを有するＬＣＤバックライトユニットの全体にわたって色の均一性を改善する方法を提供する。この方法は、可視エリアの少なくとも１つの縁部において赤色及び緑色光を増加させることを含み、ＬＣＤバックライトユニットは、ダウンコンバージョンフィルム要素と、反射体と、青色ＬＥＤとを備える。
【図面の簡単な説明】
【００１１】
本発明は、以下の図と共に以下の詳細な説明を考慮すれば、より完全に理解されよう。
【図１】導光体及び抽出パターン付きエリアの頂面図である。
【図２】実施例で利用される測定構成の図である。
【図３ａ】図２に示す構成から得られたカメラ画像である。
【図３ｂ】図２に示す構成から得られた測定データである。
【図４】図２に示す構成から得られた測定データである。
【図５ａ】導光体及び抽出パターンの頂面図である。
【図５ｂ】図５ａに示す領域のカメラ画像である。
【図６ａ】導光体及び抽出パターンの頂面図である。
【図６ｂ】図６ａに示す領域のカメラ画像である。
【図７】図５ｂ及び６ｂに対応する測定データである。
【図８】図５ｂ及び６ｂに対応する測定データである。
【図９】図６ｂに対応する測定データである。
【図１０】実施例で利用される測定構成の図である。
【図１１ａ】図１０の構成に基づいた一対のカメラ画像である。
【図１１ｂ】図１１ａに対応する測定データである。
【図１２】実施例で利用される測定構成の図である。
【図１３ａ】図１２の構成に基づいた一対のカメラ画像である。
【図１３ｂ】図１３ａに対応する測定データである。
【図１４ａ】図１２の構成に基づいた別の１組のカメラ画像である。
【図１４ｂ】図１４ａに対応する測定データである。
【図１５】実施例で利用される測定構成の図である。
【図１６ａ】図１５の構成に基づいた一対のカメラ画像である。
【図１６ｂ】図１６ａに対応する測定データである。
【図１７】実施例で利用される測定構成の図である。
【図１８ａ】図１７の構成に基づいた一対のカメラ画像である。
【図１８ｂ】図１８ａに対応する測定データである。
【図１９】実施例で利用される測定構成の図である。
【図２０ａ】図１９の構成に基づいた一対のカメラ画像である。
【図２０ｂ】図２０ａに対応する測定データである。
【発明を実施するための形態】
【００１２】
ディスプレイの全体にわたって均一な白色を達成するために、赤色と緑色と青色との均一な混合を空間的に維持することが必要である。本発明者らが確認したところでは、量子ドットフィルムなどのダウンコンバージョンシートを収容したバックライトにおいては、赤色と緑色と青色との混合は空間的に均一ではなく、これは主に、異なる色の光が異なる光源に由来するからである。例えば、赤色光と緑色光は量子ドットに由来する。光子は、量子ドットによってすべての方向に等しく放出される。赤色光及び緑色光はしたがって、広い角度分布を有する。それに対し、青色光は青色ＬＥＤに由来する。青色光は、すべての方向に等しくは分布されない。青色光の角度分布は、バックライトシステム内の光学フィルム積層体（例えば、導光体、拡散及び／又は光方向変換フィルムなど）によって大部分が決定される。したがって青色光は一般に、赤色光及び緑色光と比較して、より小さな広がりを有している。
【００１３】
赤色及び緑色光の広い角度分布の結果として、いかなる１点における色も、その点の直下のエリアに由来する光によってのみ決定されるわけではなく、隣接するエリアに由来する光によっても決定される。赤色及び緑色光はこのようにして、角度分布がより広いことから、青色光と比べて、隣接するエリアから放出される光に、より大きく依存する。
【００１４】
エッジライト型ＬＣＤバックライトシステムにおいては、より均一な光をディスプレイに供給するために、通常、抽出機構を有する導光体が使用される。この抽出機構は通常、視認可能なディスプレイエリア全体にわたって密度を変化させて、均一な外観を達成している。例えば、通常、ＬＥＤ付近には少数の抽出機構しかなく、またＬＥＤから遠ざかるにつれて抽出機構の密度が増大する。抽出機構をＬＣＤパネルの可視エリアの縁部付近で終えることが慣例となっている。本発明者らが発見したところでは、ダウンコンバージョンフィルム要素（例えば量子ドットフィルム）を収容したエッジライト型バックライトシステムにおいては、可視エリアの縁部で抽出機構を終えることにより、青色光と混合させて白色光を発生させるために縁部にて利用可能な赤色及び緑色光が十分にないことから、結果として可視エリアの縁部で青色がより多くなる。つまり、生成されている赤色及び緑色光が、抽出機構を収容したエリアの外側では非常に少なくなる。
【００１５】
更に、本発明者らが確認したところでは、角度分布の違いが原因で、ディスプレイの縁部の外側では、青色光と比べて、より多くの赤色及び緑色光が失われるため、ディスプレイの縁部で量子ドットフィルムから放出される赤色及び緑色光は、均一な色を発生させるには十分ではない。
【００１６】
ディスプレイエリアの縁部付近における色の均一性を改善するため、ディスプレイ縁部における「失われた」赤色及び緑色光を埋め合わせることが必要となることを、本発明者らは発見した。これは様々な方法を用いて達成され得る。１つの方法は、すべての境界条件を移動させてディスプレイの可視縁部から離すことである。単に、ダウンコンバージョンフィルム要素と導光体を可視領域の外側に延ばしても十分ではない。この方法の場合、可視縁部における均一な光の再利用を維持するために、何らかの再利用フィルムが可視領域を越えて外側へと延ばされるべきである。加えて、導光体上のいかなる抽出機構もまた、青色光の抽出を増大させるために、可視領域を越えて外へ続かなければならない。均一な光の再利用は、それ自体では十分ではない。いくつかの実施形態において、抽出機構は、導光体の全体にわたって、均一な抽出効率がもたらされるように、傾斜を付けられ得る。
【００１７】
上記の手法に伴う１つのトレードオフは、ＬＣＤベゼル（つまり、ディスプレイ画面を囲み、画面の不可視領域を覆うフレーム）が、いくつかの用途で通常、望ましくなるよりも大きいものであることが必要となり得ることである。もう１つのトレードオフは、可視領域の外側で光が消費されることが原因で、ディスプレイの効率が低下し得ることである。
【００１８】
ディスプレイエリアの縁部付近における色の均一性を改善するもう１つの方法は、エッジライト型ＬＣＤバックライトシステムと直下型ＬＣＤバックライトシステムの両方で機能するものであり、ディスプレイの縁部の外で損失される赤色及び緑色光を反射させて戻すことである。これを行う１つの方式は、高反射性のコーティング、塗料、インキ、フィルム若しくはテープ（例えばリムテープ）などの高反射性材料及び／又はダウンコンバート材料を、光方向変換フィルムの下方のダウンコンバージョンフィルム要素の縁部に、あるいは導光体の縁部に加えることである。高反射性材料及び／又はダウンコンバート材料は、ダウンコンバージョンフィルム要素又は導光体の縁部の頂部、側部、頂部と側部との組み合わせ、又は周囲すべてに適用され得る。例えば、ダウンコンバージョンフィルム要素の縁部の周囲に、白色のインキが印刷され得るか、あるいは白色のテープが付着され得る。それに代わって、あるいはそれに加えて、高反射性材料及び／又はダウンコンバート材料が、バックライトの機械的支持構造体（例えばフレーム）に適用され得る。
【００１９】
好適な反射性材料は、鏡面反射体と拡散反射体の両方を含み、少なくとも約７０％の反射性、８０％の反射性、９０％の反射性、又はほぼ１００％の反射性があり得る。白色のテープ又は塗料は、好適な高反射性材料となり得る。１つの具体的な有用な高反射性材料がＥＳＲ（スリーエム社（3M Co.）から入手可能な高鏡面性反射体）であり、これはほぼ１００％の反射性がある。より反射性の低い材料も利用され得るが、それらは、ダウンコンバージョンフィルム要素と広範囲に重なり合うことが必要となり得る。必要であるダウンコンバージョンフィルム要素上における高反射性材料の重なり合いの量は、材料の反射性と共に変化することになる。一般に、材料がより反射性となるにつれて、必要となる重なり合いは小さくなる。いくつかの実施形態において、材料は、量子ドットフィルムと、例えば約０．５ｍｍ〜約２ｍｍだけ重なり合い得る。この反射性と重なり合いを用いて、縁部付近におけるディスプレイからの出力色を微調整する方法が、当業者には明らかとなろう。
【００２０】
好適なダウンコンバート材料には、赤色及び緑色の量子ドット、蛍光体、蛍光染料などを挙げることができる。ダウンコンバート材料は、ダウンコンバージョンフィルム要素と同じ材料であり得る。
【００２１】
いくつかのエッジライト型ディスプレイにおいて、ベゼル幅を最小化すること及びディスプレイ効率を最大化することが関心事であるときには特に、上記で説明した両方の手法を組み合わせることが好ましくなり得る。赤色光と緑色光と青色光との適切なバランスは、青色光の抽出量と、反射率と、ダウンコンバージョンフィルム要素上における重なり合いの距離とを調節することによって達成され得る。
【実施例】
【００２２】
本発明の目的及び利点は、以下の実施例によって更に例示されるが、これらの実施例において列挙された特定の材料及びその量は、他の諸条件及び詳細と同様に、本発明を不当に制限するものと解釈されるべきではない。
【００２３】
手法１
小さな空間次元にわたって抽出光が大きく変動することにより、バックライトから外に出る光に色ずれが生じ得ることが見出されている。Ｐｒｏｍｅｔｒｉｃカメラ（Ｒａｄｉａｎｔ  Ｉｍａｇｉｎｇ  ＰＭ  Ｓｅｒｉｅｓ  Ｉｍａｇｉｎｇ  Ｃｏｌｏｒｉｍｅｔｅｒ  ＰＭ−９９１３Ｅ−１）を使用してデバイスの空間的な色及び輝度を測定し、本発明者らはデータを収集してこの効果を証明し、また改善を示した。
【００２４】
この効果を証明するために、図１に示すように、導光体１０２を青色ＬＥＤ  １０４によって照明し、ＥＳＲ（１１２、図１では不可視）の大きなシート上に置いた。この導光体１０２は、抽出パターン１０６ａ、１０６ｂを備えた２つの別々の矩形エリア、並びに、導体内にある、抽出機構を有さないエリアを有していた。この導光体１０２を、図２に示す構成で使用した。導光体１０２及びＥＳＲ  １１２の上に、３Ｍ（商標）ＱＤＥＦ−２１０（スリーエム社による量子ドット向上フィルム）１０８と直交プリズムフィルム（スリーエム社から入手可能なＢＥＦ４−ＧＴ及びＢＥＦ−ＧＭｖ５）１１０を置いた。機械的な支持構造体１１５が、１０２、１０８及び１１０を含むフィルム積層体の境界を形成した。Ｐｒｏｍｅｔｒｉｃカメラ１１４を積層フィルムの上に定置し、エリア１０７に焦点を合わせた。図３ａ及び３ｂに示すこの構成からの出力は、抽出機構の縁部付近において出力色が青色に著しくシフトすることを示している。図３ａは、カメラからの画像を示している。図３ｂは、図３ａの中心線に沿った横断面の色データを含んでいる。図３ｂの破線の垂直線は、抽出パターン１０６ａ及び１０６ｂの縁部のおおよその位置を示している。破線同士の間の領域に抽出機構は存在しなかった。
【００２５】
図３ｂは、ＣＩＥのｘ及びｙ色座標が、フィルム導光体１０２の抽出パターン１０６ａ及び１０６ｂの縁部付近で減少することを示している。視覚的に、これは、より大きな青色エリアとして見える。抽出領域同士の間のエリアは、ｘ及びｙ値の増加を示しているが、この効果は、この領域においては輝度が低いがために視認可能ではない。
【００２６】
上記のデータを調べるもう１つの方式は、ＣＩＥｘ及びＣＩＥｙに代わって三刺激値を用いることである。これにより、青色光を赤色及び緑色光から分離することが可能となる。図４は、図３ｂと同じ横断面を示しているが、ｘ及びｙに代わって、Ｘ、Ｙ及びＺを示している。これは、抽出エリア１０６ａ及び１０６ｂの縁部が、抽出エリア１０６ａ及び１０６ｂの中心よりも青くなる理由を説明するのに役立つ。
【００２７】
Ｋｉｎｄｌｅ  Ｆｉｒｅ  ＨＤＸをＡｍａｚｏｎから入手した。このＫｉｎｄｌｅ  Ｆｉｒｅ  ＨＤＸの導光板を使用して、抽出パターン１０６を導光板の縁部に移動させるとディスプレイの縁部上で青色が改善することを示した。この導光板をバックライトから取り外した。次いで、回転式のペーパーカッターを使用して、導光板の短い縁部を〜１ｃｍ切断した。これにより、効果的に、抽出ドットが導光板の縁部に移動されると共に、導光板の縁部を付近のフレームを伴わずに撮像することが可能となった。次いでバックライトを再び組み立て、切断した導光体縁部の位置でＰｒｏｍｅｔｒｉｃカメラを用いて撮像した。次いで導光体をバックライトにおいて横方向にシフトさせ、反対の、つまり切断されていない縁部が、フレーム及び光学フィルムの縁部から離れて撮像され得るようにした。
【００２８】
図５ａは、図７及び８に示すＰｒｏｍｅｔｒｉｃデータが、切断導光体の場合に取られた場所を示し、図５ｂは、横断面データを取るために使用されたＰｒｏｍｅｔｒｉｃデータを示している。（データは各画像の中心線に沿って、ここでそして後続の画像で取られた。）
【００２９】
図６ａは、図７及び８に示すＰｒｏｍｅｔｒｉｃデータが、非切断導光体の場合に取られた場所を示し、また横断面データを取るために使用されたＰｒｏｍｅｔｒｉｃ画像を示している。
【００３０】
図７のデータは、導光板縁部が通常の位置にある場合の、可視エリアの縁部における色の改善（増加したｘ及びｙ）を示している。図７、８及び９における線１２０は、可視エリアの左縁部を識別するものである。１２０から右側にあるすべてのデータは、可視エリアに由来している。
【００３１】
三原色を分離するために、データを三刺激値にて横断面から調べることが有用である。図９は、切断されていない導光板の、図６ｂにおける横断面に沿った三刺激値を示している。これは、赤色及び緑色が青色と比べて、より横方向に広がることを示している。
【００３２】
本発明者らが可視エリアを越える抽出ドットを備えて製造された導光板を用いてこの研究を繰り返した場合、本発明者らは、その結果が更に改善されると予想している。この実験の場合、板の切断縁部は、製品の板と同じようには直線的又は平滑的ではなく、そのため、通常は存在しない余分な青色光が、板の縁部から抽出された。
【００３３】
上記の実験により、導光板の非ＬＥＤ縁部からの出力光は、導光板の抽出パターンを更にバックライトの非可視領域の中へ延びるように改良することによって、改善され得ることが示される。
【００３４】
手法２
ＱＤＥＦを収容したＬＣＤディスプレイの可視エリアの縁部上における色の均一性は、ＱＤＥＦ部（プリズムフィルムの下）に直接、リムテープを加えることによって改善され得ることが発見された。縁部の色をリムテープで制御することは、リムテープの反射性、並びにＱＤＥＦ部におけるリムテープの重なり合いの距離を制御することを必要とする。
【００３５】
この例は、白色のテープ（７２％の反射率、スリーエム社による４５６２Ｈ−５０）は黒色のテープよりも優れており、また、ＱＤＥＦ上にテープを置くことは、テープをプリズムの上に置くことと比べて、隣接する色に対してより大きな効果を有することを示している。これらの以下の実験を行って、テープの反射性が、抽出の変化を原因とするいかなる不均一性も伴うことなく、ＱＤＥＦバックライトシステムに与える効果を調べた。この目的を達成するために、リムテープが通常定置される縁部の代わりに、導光板の中央で試験を行った。
【００３６】
図１０に示すように、Ｋｉｎｄｌｅ  Ｆｉｒｅ  ＨＤＸ  ２０２の導光板を青色のＬＥＤ２０４によって照明し、ＥＳＲ  ２１２のシート上に置いた。３Ｍ（商標）ＱＤＥＦ−２１０  ２０８と直交プリズムフィルム２１０を、導光板２０２及びＥＳＲ２１２の上に置いた。テープ２１８を、図示のように直交プリズムフィルム２１０に適用した。機械的な支持構造体２１５が、２０２、２０８及び２１０を含むフィルム積層体の境界を形成した。Ｐｒｏｍｅｔｒｉｃカメラ２１４を、積層されたフィルムの上に定置し、図１０に示すエリアの上方の色及び輝度を測定するために使用した。
【００３７】
図１１ａ及び１１ｂに示す写真及びグラフが示すこととして、白色のテープをプリズム上に置くことはテープの隣の色に対してはほとんど効果がないが、黒色のテープを用いると、テープの隣に、ＣＩＥｘ及びＣＩＥｙの値のより低い領域が存在する。
【００３８】
次に、上記の実験を繰り返した。今回は、図１２に示すように、テープ２１８をプリズムとＱＤＥＦとの間に定置した。この結果が示すこととして、テープが、プリズムではなくＱＤＥＦに直接適用される場合、テープの隣の色に対し、より大きな効果がある。
【００３９】
図１３ａ及び１３ｂに示す写真及びグラフが示すこととして、白色のテープをＱＤＥＦ上に置くと、テープの隣のＣＩＥｘ及びＣＩＥｙの値が著しく減少することになる（より青い色をなす）。黒色のテープの場合、効果は更に高くなる。
【００４０】
次に、白色のテープ（反射率７２％）をＥＳＲフィルム（反射率〜１００％）と比較した。この新たな比較を用いて、これまでの実験を繰り返した。図１４ａ及び１４ｂに示す結果が示すこととして、テープの反射率を増大させることによって、テープの隣の出力光の色を青色から黄色に変化させ得る。次の場合において、測定の略図は図１２と同じであるが、ＥＳＲフィルムを黒色のテープの代わりに使用した。
【００４１】
図１４ａの写真及び図１４ｂのグラフが示すこととして、白色のテープをＱＤＥＦ上に置くと、テープの隣のＣＩＥｘ及びＣＩＥｙの値が著しく減少することになる（より青い色をなす）。しかしながらＥＳＲは、ＣＩＥｘ及びＣＩＥｙの値に著しい増大を生じさせる（より黄色い色合いをなす）。
【００４２】
以下の実験は、これらのテープがＱＤＥＦ部の縁部付近で、ただし依然として導光板の中央で使用されるときに、いかにこれらのテープが出力色に影響を及ぼすかを示している。Ｐｒｏｍｅｔｒｉｃカメラを、図１５に示すように、積層されたフィルムの上に配置し、テープを２ｍｍ重ね合わせて色と輝度を測定するために使用した。これを、図１７に示すように、テープを１ｍｍ重ね合わせて繰り返した。図１６ａ、１６ｂ、１８ａ及び１８ｂに示す結果は、重ね合わせエリアが、テープの隣の色に大きな影響を及ぼすことを示している。図１６ａの写真及び図１６ｂのグラフが示すこととして、ＥＳＲをＱＤＥＦの縁部に２ｍｍ重ね合わせる結果、テープのすぐ隣のＣＩＥｘ及びＣＩＥｙの値が、白色のテープの場合と比較して増加することになる。図１８ａの写真及び図１８ｂのグラフが示すこととして、ＥＳＲをＱＤＥＦの縁部に１ｍｍ重ね合わせる結果、テープのすぐ隣のＣＩＥｘ及びＣＩＥｙの値が、白色のテープの場合と比較して増加するが、２つのテープ間の差は２ｍｍの重ね合わせを用いるよりも、この場合はより小さくなることを示している。
【００４３】
最後に、リムテープが通常の方式で使用されたときに、リムテープの反射性の差が縁部付近の色にどのように影響を与えるかを示すために、実験を実施した。Ｋｉｎｄｌｅ  Ｆｉｒｅ  ＨＤＸをＡｍａｚｏｎから入手した。Ｋｉｎｄｌｅ  Ｆｉｒｅ  ＨＤＸの「受け取り時の」のバックライト（３Ｍ（商標）ＱＤＥＦ−２１０を含む）は、ＬＥＤ側でＱＤＥＦと重なり合う白色／黒色のテープを有するが、青い縁部の欠点を有している。ＥＳＲが、この場合はＬＥＤ側における色の均一性を改善し得るか否かを確認するために、図１９に示すように「受け取り時の」テープを部分的に取り除き、ＥＳＲと置換した。
【００４４】
図２０ａ及び２０ｂに示す写真及びグラフが示すこととして、ＥＳＲがバックライトユニットのＬＥＤ縁部上においてＱＤＥＦ縁部に１．５ｍｍ重なり合うときに、白色のテープの場合と比較して、テープのすぐ隣のＣＩＥｘ及びＣＩＥｙの値の著しい増大が得られる。視覚的に、この例は、青い縁部に関連する明らかな改善を示した（つまり、青い縁部が低減した）。
【００４５】
したがって、ＱＤＥＦベースのディスプレイに一般的に見られる青い縁部の欠点は、高反射性材料をＱＤＥＦ部の縁部の周囲に加えることによって、著しく改善され得る。この反射性及び重ね合わせは（抽出パターンと共に）、縁部付近におけるディスプレイからの出力色を微調整するために用いられ得る。
【００４６】
本明細書で引用した刊行物の全ての開示内容は、それぞれが個々に援用された場合と同様に、その全内容が参照によって援用される。本発明の範囲及び趣旨から逸脱することなく、本発明の様々な改変及び変更が当業者には明らかとなるであろう。理解されたいこととして、本発明は、本明細書に記載した説明のための実施形態及び実施例によって不適当に限定されることは意図されておらず、また、そのような実施例及び実施形態は、単に一例として提示したものであり、本発明の範囲は、以下のように本願に記載した特許請求の範囲によってのみ限定されるよう意図されたものである。
【図１】
2016536637.tif 000003
【図２】
2016536637.tif 000004
【図３ａ】
2016536637.tif 000005
【図３ｂ】
2016536637.tif 000006
【図４】
2016536637.tif 000007
【図５ａ】
2016536637.tif 000008
【図５ｂ】
2016536637.tif 000009
【図６ａ】
2016536637.tif 000010
【図６ｂ】
2016536637.tif 000011
【図７】
2016536637.tif 000012
【図８】
2016536637.tif 000013
【図９】
2016536637.tif 000014
【図１０】
2016536637.tif 000015
【図１１ｂ】
2016536637.tif 000016
【図１２】
2016536637.tif 000017
【図１３ｂ】
2016536637.tif 000018
【図１４ｂ】
2016536637.tif 000019
【図１５】
2016536637.tif 000020
【図１６ｂ】
2016536637.tif 000021
【図１７】
2016536637.tif 000022
【図１８ｂ】
2016536637.tif 000023
【図１９】
2016536637.tif 000024
【図２０ｂ】
2016536637.tif 000025
【図１１ａ】
2016536637.tif 000026
【図１３ａ】
2016536637.tif 000027
【図１４ａ】
2016536637.tif 000028
【図１６ａ】
2016536637.tif 000029
【図１８ａ】
2016536637.tif 000030
【図２０ａ】
2016536637.tif 000031
【国際調査報告】
2016536637.tif 000032
2016536637.tif 000033
2016536637.tif 000034